(57)【要約】【課題】コストも低く外観上も美観を呈し、さらに俊敏なゲーム快感を得ることが可能なゲーム載置落下装置を提供する。【解決手段】景品載置板１は、背面板６に蝶結されるとともに、背面板裏面６ｂに設けられたトーグル機構に連設される。トーグル機構は、２幹のトーグル杆より構成され、遊技者が一定のゲーム成果を上げ、類直線状静止状態においてその枢結部に、ソレノイド幹１２より瞬時に押圧を上方に向け加えれば、直線状静止状態は瞬時に解除され、景品載置板が蝶動して背面板表面６ａに瞬時に当接することにより、景品載置板１上の景品は、滑落プロセスを瞬時に経て直下垂落する。【選択図】        図１
2004236889.tif 000002
【特許請求の範囲】
【請求項１】
透明素材で正面ないし側面が覆蔽され、遊技者より視認される覆蔽ゲーム空間背面板に、平面的に突在する景品載置板が備えられたゲーム機において、
該景品載置板が、上記背面板に枢結されるとともに、上記背面板を通じ、背面板裏面に設けられるトーグル機構に連設され、
該トーグル機構が、
上記背面板裏面に設けられる垂設支持板に固定端が枢結される第１トーグル杆と、
該第１トーグル杆に枢結されるとともに上記景品載置板側に枢結される第２トーグル杆と、
該第１第２両トーグル杆の類直線状静止状態を維持するストッパーと、
前記第１第２両トーグル板間の枢結部ないし該枢結部の近域に曲折方向の力を加えるための類直線状態解除手段とから構成されたことを特徴とするゲーム機の景品載置落下装置。
【請求項２】
上記類直線状態解除手段が、ソレノイド機構を使用するものであり、該ソレノイド機構のソレノイド幹が、上記枢結部ないしその近域に押圧を加えることを特徴とする請求項１記載のゲーム機の景品載置落下装置。
【請求項３】
景品載置板ないし該景品載置板に載置される景品が、相当重量を有する場合、これらの重量に応じてトーグル杆の類直線状態における枢結部を中心とする角度を１８０度より減じ、枢結部を下方方向に付し、これに応じたストッパー手段が設置されたことを特徴とする請求項１記載のゲーム機の景品載置落下装置。
【請求項４】
ストッパーがＬ字金具であって、第１トーグル杆を自在に当接支持することを特徴とする請求項１または３記載のゲーム機の景品載置落下装置。
【発明の詳細な説明】
【０００１】
【発明が属する技術分野】
本発明は、ゲーム機の景品載置落下装置に関する。
【０００２】
透明板で側面の少なくとも一部を覆蔽され、その閉鎖遊技空間内で遊技を楽しむゲーム機は数多い。本発明はこのようなゲーム機の中でも、景品を背面板より突在する景品陳列手段としての景品載置板を備え、これが一定のゲーム効果をあげたときの景品搬出手段ともなりうるゲーム機の景品載置落下装置に関する。
【０００３】
【従来の技術】
従来より、景品載置落下装置は景品載置板上の景品を滑落させるものであるという固定観念に基づき、景品載置板を背面板より突設されたコ字状フレームの遊技者側先端に枢結し、景品載置板の自由端を背面板より出没自在の平面維持手段を使用し、景品載置板の平面状態を維持して景品を陳列し、景品を落下給送するには、その平面維持手段を背面板中或いはこれより背後に曳没させ、平面維持を解除させて、景品を景品載置板上に滑落させ、背面板を垂落案内として、これに景品を当接させつつ、背面板下方の景品搬出手段に落下搬送するという技術が存在する。
【０００４】
【発明が解決しようとする課題】
上記従来技術は、景品載置落下装置が、景品載置板を滑落させるものであるという固定観念に基づいたものであるため、背面板に装設される出没自在の平面維持手段並びに背面板より突設されるコ字状フレームの固装が不可欠であるため、平面維持手段及びコ字状フレーム装設がコスト高であり、外観上も美観を欠く、という課題がある。
【０００５】
また景品滑落及び垂落時の態様が、滑落ののち垂落、というプロセスをとるため、動きに俊敏さを欠き、歯切れの良いゲーム快感に乏しい、という課題もある。
【０００６】
本発明は、このような課題にかんがみ、コストも低く外観上も美観を呈し、さらに俊敏なゲーム快感を得ることが可能なゲーム載置落下装置を提供することを目的とする。
【０００７】
【課題を解決するための手段】
本発明は、透明素材で正面ないし側面が覆蔽され、遊技者より視認される覆蔽ゲーム空間背面板に、平面的に突在する景品載置板が備えられたゲーム機において、該景品載置板が、上記背面板に枢結されるとともに、上記背面板を通じ、背面板裏面に設けられるトーグル機構に連設され、該トーグル機構が、上記背面板裏面に設けられる垂設支持板に固定端が枢結される第１トーグル杆と、該第１トーグル杆に枢結されるとともに上記景品載置板側に枢結される第２トーグル杆と、該第１第２両トーグル杆の類直線状静止状態を維持するストッパーと、前記第１第２両トーグル板間の枢結部ないしその近域に曲折方向の力を加えるための類直線状態解除手段とから構成されたことを、主要課題解決手段とするものである。
【０００８】
上記主要課題解決手段のもとに、本発明は、上記類直線状態解除手段が、ソレノイド機構を使用するものであり、該ソレノイド機構のソレノイド幹が、上記枢結部ないしその近域に押圧を加える構成をとりうるものである。
【０００９】
また上記主要課題解決手段のもとに、本発明は、景品載置板ないし該景品載置板に載置される景品が相当重量を有する場合、これらの重量に応じてトーグル杆の類直線状態の枢結部を中心とする角度を１８０度より減じ、枢結部を下方方向に付し、これに応じたストッパー手段が設置された構成をとりうるものである。
【００１０】
ストッパー手段は、本発明においては、Ｌ字金具であって、第１トーグル杆を自在に当接支持する構成をとりうる。
【００１１】
上述の構成により、遊技者が、例えばある一定のゲーム成果を上げた場合、景品が遊技者に向け搬出される際に、ソレノイド機構の制御により、ソレノイド幹端部が第１トーグル杆と第２トーグル杆との枢結部ないしはその近域に例えば押圧力を加える。ソレノイド機構の使用は、瞬間的なソレノイド幹の動きを生じる電子制御がしやすいため、押圧のための加圧手段としては有用である。
【００１２】
この押圧が加えられると、景品載置板の重みにより、Ｌ字状金具を典型例とするストッパー手段から第１トーグル杆がＬ字状金具より瞬時に離動し、第１トーグル杆と第２トーグル杆との枢結部が上方に跳ね上がる。
【００１３】
その結果、第２トーグル杆に連設された景品載置板は、背面板側に勢いよく引き寄せられ、背面板に衝突するに等しい状態で蝶動し、遊技者側から見て垂在する状態となる。この作動は、トーグル機構特有の衝動が生じるため、背面板の景品載置板当接部に衝動緩和手段などを設けておくとよい。
【００１４】
前項のような瞬間的な作動機序により、景品載置板の上に載置されてあった景品は、滑落という過程を経ることなく、殆ど即時的直下垂落に近い状態で落下するため、動きに俊敏さがあり、歯切れの良いゲーム快感が遊技者に提供されると共に、落下点が景品載置板の直下となるため、景品搬出手段もこの直下点に設ければよい。
【００１５】
遊技者側から見て、景品載置板を平面的に突在する状態に戻すには、第１トーグル杆を、類直線状静止状態となるまで、ストッパー手段であるＬ字状金具に第１トーグル杆が当接するまで、例えば手作業か別途付設の装置で押圧を加えるよい。
【００１６】
ストッパー手段は、Ｌ字状金具に限らず、例えばＬ字状金具に加え、第１トーグル杆にストッパー幹体を突設し、類直線状静止時に、第２トーグル杆がこのストッパー杆体に当接するような構成としておけば、両トーグル杆の不測の蝶動がさらに良好に抑止される。
【００１７】
相当重量を有する景品、或いは景品載置板については、これらの重量に応じてトーグル杆の類直線状態の角度を１８０度より減じ、枢結部を下方方向に付し、これに応じたストッパー手段が設置された構成としておけば、第１トーグル杆と第２トーグル杆との枢結部ないしはその近域に、かなりの押圧を加えなければ、トーグル機構の静止状態解除による蝶動は生じにくい。
【００１８】
従って、例えば電子制御によりソレノイド幹の突出の度合いと力を大きくしておけば、前項記載の状態でも、容易に類直線状態の解除が可能となる。
【００１９】
また相当重量を有する景品、或いは景品載置板については、これらの重量に応じてトーグル杆の類直線状態の枢結部を中心とする角度を１８０度より減じ、枢結部を下方方向に付しておく場合、ストッパーがＬ字金具であって、第１トーグル杆を自在に当接支持する構成としておけば、景品や景品載置板の重みに耐えて類直線状態が良好に維持される。
【００２０】
上述の構成によれば、景品は景品載置板の上に載置されているものは滑落というプロセスを経るのが当然という従来技術において必要とされた、背面板より遊技者側に突設されるコ字状フレームは不必要となり、製造コストも軽減されるとともに、外観上も美観を呈する。
【００２１】
【発明の実施の形態】
以下本発明の実施形態を図面を参照しながら説明する。
【００２２】
図１は、本発明に係るゲーム機の載置落下装置の実施形態における第１第２両トーグル杆の類直線状静止状態一部透視全体斜視図であり、図２は、同第１第２両トーグル杆の類直線状静止解除状態一部透視全体斜視図である。
本実施形態では、図１、２に示されるように、景品載置板１に、その下方に延設する支持板２を介し、トーグル機構が連設されている。即ち、景品載置板１付きの支持板２に第２トーグル杆４、第１トーグル杆３が連設され、これら支持板２は第２トーグル杆４に支持板枢軸２ａで、第１第２トーグル杆３、４はトーグル杆枢軸５で、各々枢結されている。これにより、第２トーグル杆４は第１トーグル杆３に枢結されるとともに景品載置板側１に枢結されていることになる。
【００２３】
景品載置板１は、透明素材で覆蔽された遊技空間に、背面板６より遊技者側に露出し、背面板６に蝶番１ａを介し回動自在に蝶結されている。通常時は背面板６の表面６ａより水平方向に突在している。この景品載置板１を通常時において水平支持するのが景品載置板１付きの支持板２であるが、支持板２ないし第２トーグル杆４は、背面板６に穿設された長細矩形の可動孔７より出没自在の構成となっている。
【００２４】
背面板６の裏面６ｂには、第１トーグル杆３を枢結するための垂設支持板８が備えられ、これに第１トーグル杆３が回動自在に枢結される。これにより第１トーグル杆３がその固定端を垂設支持板８に枢結されていることになる。またこの垂設支持板８に隣接して、第１第２トーグル杆３、４の類直線状静止状態を維持するためのストッパー手段として、Ｌ字金具９が固装される。
【００２５】
このＬ字金具９については、第１実施例、即ち比較的景品載置板１が軽量で、その上に載置する景品も軽量の場合は、その類直線状静止状態において、第１第２トーグル杆３、４が、トーグル枢軸５を中心に１８０度、即ちほぼ直線状になるように、Ｌ字金具９もこれに即して第１トーグル杆３と当接するように固定する。
【００２６】
一方第２実施例、即ち比較的景品載置板１が相当重量を有し、その上に載置する景品も相当重量の場合は、その類直線状静止状態において、第１第２トーグル杆３、４が、トーグル枢軸５を中心に１８０度よりも鋭角、即ちトーグル枢軸５がやや下方になるように、直線というより下方にやや曲折した緩Ｖ字折線状になるように構成し、Ｌ字金具９もこれに即して第１トーグル杆３と当接するように固定する。
【００２７】
本実施形態においては、第１トーグル杆３の、第２トーグル杆４とのトーグル杆枢軸５の近域に、副次的ストッパー手段として、ストッパー突起１０が、第２トーグル杆４の遊動を抑止するために突設されている。なお、このストッパー突起１０は必要に応じて省略することができる。
【００２８】
第１トーグル杆３の下方には、マイクロスイッチ１１が固装されている。このマイクロスイッチ１１は景品載置板１が水平状態にあるかどうかを検知するものである。
また第１第２トーグル杆３、４の類直線状静止状態におけるトーグル枢軸５の下方には、出没自在のソレノイド幹１２を備えたソレノイド本体１３が固装される。ソレノイド幹１２及びソレノイド本体１３は、ソレノイド機構を構成し、ソレノイド幹１２の上端１２ａは、ソレノイド本体１３より出没自在で、遊技者がゲームで一定の成果を上げた時点で、これに応じて図示しないソレノイド制御手段から出力される制御信号によりソレノイド機構が作動して、ソレノイド幹１２がソレノイド本体１３より突出し、第１第２トーグル杆３、４間の枢結部、即ちトーグル枢軸５が配設されている第１第２トーグル杆３、４端部重合部分或いはその近域に下から上方向への押圧を瞬時に加える構成としている。
【００２９】
以上のような構成により、遊技者が、例えば本実施形態に隣接するゲームにおいてある一定のゲーム成果を上げた場合、景品が遊技者に向け搬出される際に、ソレノイド機構の制御により、ソレノイド幹上端１２ａが第１トーグル杆３と第２トーグル杆４との枢軸５ないしはその近域に、上方に向け押圧を加える。
【００３０】
この押圧が加えられると、景品載置板１の重みにより、ストッパー手段であるＬ字状金具９から、第１トーグル杆３がＬ字状金具９より瞬時に離動し、第１トーグル杆３と第２トーグル杆４との枢結部であるトーグル枢軸５が上方に勢いよく跳ね上がる。
【００３１】
これと同時に、第２トーグル杆４に支持板２を介し枢結連設された景品載置板１は、背面板６の側に勢いよく引き寄せられ、背面板６に衝突するに等しい状態で蝶動し、遊技者側から見て垂在する状態が瞬時に現出する。この作動は、トーグル機構特有の衝動が生じるため、背面板６の景品載置板当接部に衝動緩和手段などを設けておくとよい。例えば背面板６の景品載置板当接部に、発泡スチロールや布材を美観を損なわないように配設することが行われる。
このとき、マイクロスイッチ１１が作動して景品載置板１が垂在する状態であることを検知して、図示しない報知手段を作動させる。即ち、例えばランプなどを点灯させるのである。
【００３２】
このようにして、景品載置板１の上に載置されてあった景品は、滑落という過程を経ることなく、殆ど即時的垂直落下に近い状態で落下し、視覚的には、ストンと落下するような、動きに俊敏さがあり、歯切れの良いゲーム快感を遊技者は感得する。
【００３３】
遊技者側から見て景品載置板１を平面的に突在する状態に戻すには、第１トーグル杆３を、類直線状静止状態となるまで、手作業で、或いは別途付設の装置で押圧を加える。類直線状静止状態となったかどうか、ストッパー手段であるＬ字状金具９に第１トーグル杆が当接したかどうかは、マイクロスイッチ１１がこれを検知し、景品載置板１が平面的に突在する状態になったことをランプなどを消灯させることにより報知する。
【００３４】
ストッパー手段は、Ｌ字状金具９に加え、第１トーグル杆３にストッパー幹体であるストッパー突起１０を突設し、類直線状静止時に、第２トーグル杆４がこのストッパー杆体に当接するような構成としておけば、両ストッパー手段により、両トーグル杆３、４の不測の蝶動がさらに良好に抑止される。
【００３５】
相当重量を有する景品、或いは景品載置板については、これらの重量に応じて第１第２トーグル杆３、４が、トーグル枢軸５を中心に１８０度よりも鋭角、即ちトーグル枢軸５がやや下方になるように、直線というより下方にやや曲折した折線状になるように構成してあるので、第１トーグル杆３と第２トーグル杆４との枢結部５ないしはその近域に、かなりの押圧を加えなければ、トーグル機構の静止状態解除による蝶動は生じにくい。この押圧の制御については、ソレノイド機構の電子制御で行えばよい。
【００３６】
また相当重量を有する景品、或いは景品載置板１が相当の重量を有する場合について、これらの重量に応じて第１第２トーグル杆３、４が、トーグル枢軸５を中心に１８０度よりも鋭角、即ちトーグル枢軸５がやや下方になるように、直線というより下方にやや曲折した折線状になるように構成してあるので、ストッパー手段であるＬ字金具９の取付を自在とし、その下部をやや右上がりとすれば、第１トーグル杆３はこれに良好に当接するため、景品や景品載置板の重みに耐えて類直線状態が良好に維持される。
【００３７】
このような構成によれば、景品は景品載置板１の上に載置されているものが斜行滑落というプロセスを経ないに等しく瞬時に終えてしまうので、既に述べたとおり、遊技者に歯切れの良いゲーム快感を与えるとともに、従来技術において必要とされた、背面板より遊技者側に突設されるコ字状フレームは不必要となり、製造コストも軽減されるとともに、外観上も図３に示されるとおり、美観を呈し、覆蔽空間内は、景品陳列空間とも成りうる。
なお、第１第２両トーグル板３，４間の枢結部ないし枢結部近域に曲折方向の力を加えるための類直線状態解除手段として、上記枢結部を押し上げるタイプの駆動機構のほか、上記枢結部を引き上げるタイプの駆動機構を用いることもできる。
【００３８】
【発明の効果】
以上詳述したように、本発明に係るゲーム機の景品載置落下装置によれば、コストも低く外観上も美観を呈し、さらに俊敏なゲーム快感を得ることが可能なゲーム載置落下装置が提供される。
【図面の簡単な説明】
【図１】本発明実施形態における第１第２両トーグル杆の類直線状静止状態一部透視全体斜視図である。
【図２】本発明実施形態における第１第２両トーグル杆の類直線状静止解除状態一部透視全体斜視図である。
【図３】本発明実施形態を備えたゲーム機の要部全体図である。
【符号の説明】
１                    景品載置板
２          支持板
３          第１トーグル杆
４          第２トーグル杆
５          トーグル杆枢軸
６          背面板
６ａ        背面板表面
６ｂ        背面板裏面
７          可動孔
８          垂設支持板
９          Ｌ字金具
１０          ストッパー突起
１１          マイクロスイッチ
１２          ソレノイド幹
１２ａ        ソレノイド幹上端
１３          ソレノイド本体
【図１】
2004236889.tif 000003
【図２】
2004236889.tif 000004
【図３】
2004236889.tif 000005